(57)【要約】      （修正有）【課題】共通の未検証項目値をもつ複数のデータを一括して検証でき、データ検証作業工数が削減できるデータ検証支援装置を提供する。【解決手段】データ検証端末７は、検証対象データ一覧のうち何れか１つが注目データとされそれの１つ以上の項目の検証がされた事を受けて該検証された項目の値を検索キーとして検証対象記憶部3を検索しヒットしたデータである類似検証対象データを前記注目データと共に検証対象情報表示手段4に一括して画面表示させる類似検証対象情報取得手段5を備えた。【選択図】図１
2014026504.tif 000002
【特許請求の範囲】
【請求項１】
情報システムにより生成され検証対象情報記憶部に記憶された、複数のチェック項目を有するデータを検証対象情報表示手段の画面上で検証し、該検証の結果を検証実績情報記憶部に記録する作業を支援する装置であって、
該装置の運転手段であるデータ検証端末と、
前記検証対象情報記憶部から検証が未完了である項目を有する複数の検証対象データを抽出して前記検証対象情報表示手段に画面表示させる検証対象情報取得手段と、
該表示された複数のデータのうち何れか１つが注目データとされそれの１つ以上の項目の検証がされた事を受けて該検証された項目の値を検索キーとして前記検証対象情報記憶部を検索しヒットしたデータである類似検証対象データを前記注目データと共に前記検証対象情報表示手段に一括して画面表示させる類似検証対象情報取得手段と、
該一括表示されたデータに対し選択及び妥当性確認がされた事を受けて、該妥当性確認がされたデータの前記検索キー項目の検証結果を前記検証実績情報記憶部に記録する検証実績登録手段と
を有することを特徴とするデータ検証支援装置。                                                                                                  
【発明の詳細な説明】
【技術分野】
【０００１】
本発明は、データ検証支援装置に関し、特に、情報システムにより生成されたデータを検証する作業者の検証作業を支援する、データ検証支援装置に関する。ここで、情報システムとは、情報を適切に保存・管理・流通するための仕組みであり（http://e-words.jp参照）、本明細書ではコンピュータを用いるものに限る。
【背景技術】
【０００２】
特許文献１には、文書データ検証技術分野において、処理前文書データの画像と処理後のそれとを比較する処理と、処理後文書データの情報を音声により読み上げて比較する処理とを同時に処理して検証する事により、検証の精度をより向上させると共に、検証の処理スピードを安定化させる事ができるようになる旨記載されている。
【先行技術文献】
【特許文献】
【０００３】
【特許文献１】特開２００９−１８７３５２号公報
【発明の概要】
【発明が解決しようとする課題】
【０００４】
一方、情報システムの開発過程において、該情報システムによって生成されたデータ（該データは、上述の文書データとは異なり、複数の項目の各々に対応させた値（識別記号）の配列で特定される）の妥当性を検証する事は、品質保証上欠かす事ができない。
前記情報システムによって生成されたデータの検証（マスターデータとの照合）作業は、従来、例えば図２に示す様なデータ検証支援装置の援用下で行われていた。図２において、1は検証対象情報記憶部、10は検証対象情報取得手段、3は検証実績情報記憶部、4は検証対象情報表示手段、11は検証実績登録手段、7はデータ検証端末である。検証対象情報取得手段10は、データ検証端末7から入力される指令によって、検証対象情報記憶部1から、複数の項目値からなる複数の対象データを抽出して検証対象情報表示手段4に、図３に例示される様な、各データの複数の項目毎にチェックボックスを付したテーブル様式で画面表示させる。該表示されたデータに対し、データ検証端末7からチェックが入れられると、検証実績登録手段11はチェックの入った項目単位に、検証済である旨の情報を検証実績情報記憶部3に記録する。
【０００５】
然しながら、前記従来のデータ検証支援装置では、検証作業工数＝データ数×項目数であり、データ数及び/又は項目数が多い場合、検証作業工数が大きいという課題があった。
【課題を解決するための手段】
【０００６】
前記課題を解決する為になされた本発明は以下の通りである。
（１）情報システムにより生成され検証対象情報記憶部に記憶された、複数のチェック項目を有するデータを検証対象情報表示手段の画面上で検証し、該検証の結果を検証実績情報記憶部に記録する作業を支援する装置であって、
該装置の運転手段であるデータ検証端末と、
前記検証対象情報記憶部から検証が未完了である項目を有する複数の検証対象データを抽出して前記検証対象情報表示手段に画面表示させる検証対象情報取得手段と、
該表示された複数のデータのうち何れか１つが注目データとされそれの１つ以上の項目の検証がされた事を受けて該検証された項目の値を検索キーとして前記検証対象情報記憶部を検索しヒットしたデータである類似検証対象データを前記注目データと共に前記検証対象情報表示手段に一括して画面表示させる類似検証対象情報取得手段と、
該一括表示されたデータに対し選択及び妥当性確認がされた事を受けて、該妥当性確認がされたデータの前記検索キー項目の検証結果を前記検証実績情報記憶部に記録する検証実績登録手段と
を有することを特徴とするデータ検証支援装置。
【発明の効果】
【０００７】
本発明によれば、共通の未検証項目値をもつ複数のデータを一括して検証でき、データ検証作業工数が削減される。
【図面の簡単な説明】
【０００８】
【図１】本発明のデータ検証支援装置の１例を示す説明図である。
【図２】従来のデータ検証支援装置の１例を示す説明図である。
【図３】従来のデータ検証支援装置による表示画面例を示す概略図である。
【図４】本発明のデータ検証支援装置による表示画面例を示す概略図である。
【図５】実施例における本発明装置の運用手順を示す作業フロー図である。
【図６】図５の作業フローを支援する画面の例を示す説明図である。
【図７】図５の作業フローを支援する画面の例を示す説明図である。
【図８】図５の作業フローを支援する画面の例を示す説明図である。
【図９】図５の作業フローを支援する画面の例を示す説明図である。
【図１０】図５の作業フローを支援する画面の例を示す説明図である。
【図１１】図５の作業フローを支援する画面の例を示す説明図である。
【図１２】図５の作業フローを支援する画面の例を示す説明図である。
【図１３】図５の作業フローを支援する画面の例を示す説明図である。
【図１４】図５の作業フローを支援する画面の例を示す説明図である。
【図１５】図５の作業フローを支援する画面の例を示す説明図である。
【図１６】図５の作業フローを支援する画面の例を示す説明図である。
【発明を実施するための形態】
【０００９】
図１は、本発明のデータ検証支援装置（略して、本発明装置）の１例を示す概略図である。図１において、1は検証対象情報記憶部、2は検証対象情報取得手段、3は検証実績情報記憶部、4は検証対象情報表示手段、5は類似検証対象情報取得手段、6は検証実績登録手段、7はデータ検証端末である。
本発明装置は、情報システムにより生成され検証対象記憶部1に記憶された、複数のチェック項目を有するデータを検証対象情報表示手段4の画面上で検証し、該検証の結果を検証実績情報記憶部3に記録する作業を支援する装置であって、作業者によるデータ検証端末7の操作により運転される。本発明装置において、検証対象情報取得手段2は検証対象情報記憶部1から検証が未完了である項目を有する複数の検証対象データを抽出して検証対象情報表示手段4に画面表示させる。検証が未完了であるデータの抽出は、検証実績情報記憶部３を参照して、全ての項目について検証結果が記録されているものを除外することで行う。該表示されたデータのうち何れか１つが作業者により注目データとされそれの１つ以上の項目の検証がされる。図４(ａ)は、図３の従来例示と同じ対象データの表示画面に対し、データ２を注目データとしてその項目１，２，３にチェックを入れた場合の表示画面の例示である。
【００１０】
類似検証対象情報取得手段5は、前記チェックがされた事を受けて該チェックされた項目の値を検索キーとして検証対象記憶部１と検証実績情報記憶部３をそれぞれ検索し、検証対象情報記憶部１にヒットしかつ検証実績情報記憶部３に対象項目についての検証結果が記録されていないデータを類似検証対象データとして、前記注目データと共に検証対象情報表示手段４に一括して画面表示させる。この一括表示データについて前記検索キーとした項目値が妥当であるものが作業者により選択される。図４(b)は、図４(a)に対応した一括表示データのうちデータ３，５について検索キー項目１，２，３の各値a,b,cが妥当であると確認され、一括して検証完了としてよいと判断されて、そのデータ２，３，５に選択チェックが入れられた場合の画面の例示である。
【００１１】
実績登録手段6は、前記選択がされた事を受けて、該選択されたデータに係る検証キー項目の検証結果を検証実績情報記憶部3に記録（登録ともいう）する。該記録の後は、図４(b)に対応した図４（ｃ）に例示される様な、その次の未検証データの検証を促す画面を表示する。該画面上において検証結果記録済みの項目にはチェックボックスが表示されない。尚、検証結果記録済みの表示形態としては、チェックボックスにチェックを入れる形態に代えて、チェックボックスを消す形態としてもよい。
【００１２】
図４の本発明例を図３の従来例と比較すると、従来例ではデータ２，３，５に対し項目１，２，３を個々に逐一検証するから検証作業工数＝９であるのに対し、本発明例では注目データとしたデータ２に対する項目１，２，３の検証のみで済む（併示されたデータ３，５に対しては確認（判断）のみである）から検証作業工数＝３であり、検証作業工数が大幅に削減された事が分る。
【実施例】
【００１３】
実施例として、鋼管の製品情報システムが生成したデータに対し、作業者が検証作業を行う際の、本発明装置の運用形態について図を用いて説明する。
図５は装置の運用手順を示す作業フロー図であって、同図中の［］括り番号はステップ番号である。図６〜図１６は図５の作業フローを支援する画面（装置により生成される）の例を示す説明図であり、これらの画面はフローの何れか１つのステップに対応するものである。尚、図６〜図１６において破線囲い部は注釈であって画面表示はされない。
【００１４】
装置を起動し、作業を開始すると、まず、検証対象情報取得手段２が働いて、［１］で検証が未完了である項目を有する検証対象データが図６の画面に表示される。該画面に１件もデータが表示されなかった場合は、［２］の「未完了項目のある検証対象データなし？」の「ＹＥＳ」に該当するので、「終了」ボタンを押下（クリック）し、作業を終了する。データが１件以上表示された場合には、［２］の「ＮＯ」に該当し、［３］へ進む。
【００１５】
［３］では図６において、図７の様にチェックボックス付きレコード番号の何れか１つ（検証したい１つ、即ち注目データ）を選択し、そのチェックボックスを押下（□が■に反転）してから、「データ内容表示」ボタンを押下する。この例ではレコード番号＝１のデータが選択された。すると［４］へ進み、図８の画面（選択したデータの内容表示画面）に遷移するので、［５］へ進み、その画面上で、図９の様に、何れか１つ以上の項目（検証したい項目）にチェックを入れ（□→■）、［６］へ進んで、■の値の妥当性を判断する。この例では判断の結果、妥当性はOKであったので、［７］へ進み、「類似データ検索」ボタンを押下する事で、［８］へ進む。
【００１６】
一方、妥当性がNGであるとの判断結果ならば［１２］に進んで「検証結果（NG）」ボタンを押下すると、［１３］に進んで■の項目について、検証結果NG情報の登録（検証実績登録手段６による検証実績情報記憶部３への登録）がされ、［１４］へ進む。
［８］では類似検証対象情報取得手段５が働いて図１０の類似データ一覧画面が表示されるので、[９]へ進み、抽出条件（図１１参照）とした検索キーに関る項目値の一括検証OKが妥当であると判断できるレコード番号を選択し、図１１の様に“□→■”をした後、[１０]へ進んで「検証結果（OK）」ボタンを押下すると、［１１］へ進んで［９］でチェックを入れたデータの［５］でチェックを入れた項目について、検証結果OK情報の登録（検証実績登録手段６による検証実績情報記憶部３への登録）がされ、［１４］へ進む。
【００１７】
[１４]では、[１３]の「検証結果（NG）」又は[１１]の「検証結果（OK）」のボタン押下に応じて画面が遷移し、図１２の画面が表示される。この画面は、図９（[５]の対応画面）と同じ様式であるが、既検証済の項目からは□が消されている。図１２の画面上で、「□付き項目（未検証項目）の検証作業を行うか？」に対し「NO」ならば「未検証一覧に戻る」のボタン押下し、[１]に戻る。
【００１８】
一方、「YES」ならば「５」（２回目）へ進み前回と同様、図１３の様に選択（□→■）した項目について妥当性判断し、この例では妥当性はOKなので、[７]「類似データ検索」押下すると、[８]（２回目）へ進んで図１４の類似データ一覧画面が表示される。そこで、[９]（２回目）へ進み前回と同様、抽出条件（図１５参照）とした検索キーに関る項目値の一括検証OKが妥当であると判断できるレコード番号を選択し、図１５の様に“□→■”をした後、[１０]（２回目）へ進んで「検証結果（OK）」ボタンを押下すると、［１１］（２回目）へ進んで［９］でチェックを入れたデータの［５］でチェックを入れた項目について、検証結果OK情報の登録（検証実績登録手段６による検証実績情報記憶部３への登録）がされ、［１４］（２回目）へ進む。
【００１９】
[１４]（２回目）では図１６の様に、前回同様の様式から既検証済の項目の□が消されたデータ内容表示画面が表示される。
これ以降は、□付き項目の検証作業を続行するか、或いは、未検証一覧に戻り他のデータの検証作業を行う。そして、未検証項目が無くなるまで、上述の手順を繰り返す。
以上の様に、本発明によれば、同じ項目を有する複数のデータ（類似データ群）について当該項目を一括して検証できるので、検証作業の工数を大幅に削減する事ができる。
【符号の説明】
【００２０】
1   検証対象情報記憶部
2   検証対象情報取得手段（本発明）
3   検証実績情報記憶部
4   検証対象情報表示手段
5   類似検証対象情報取得手段
6   検証実績登録手段（本発明）
7   データ検証端末
10  検証対象情報取得手段（従来）
11  検証実績登録手段（従来）                                                                                                  
【図１】
2014026504.tif 000003
【図２】
2014026504.tif 000004
【図３】
2014026504.tif 000005
【図４】
2014026504.tif 000006
【図５】
2014026504.tif 000007
【図６】
2014026504.tif 000008
【図７】
2014026504.tif 000009
【図８】
2014026504.tif 000010
【図９】
2014026504.tif 000011
【図１０】
2014026504.tif 000012
【図１１】
2014026504.tif 000013
【図１２】
2014026504.tif 000014
【図１３】
2014026504.tif 000015
【図１４】
2014026504.tif 000016
【図１５】
2014026504.tif 000017
【図１６】
2014026504.tif 000018